(57)【特許請求の範囲】
【請求項１】
プレゼンテーション対象の識別情報を保持する非接触ＩＣタグとともに、当該プレゼンテーション対象を具象化した表示を有する標識体と、
この標識体に保持された識別情報に対応したプレゼンテーション対象についての情報を予め格納したデータベースと、
前記標識体を載置可能なテーブル板を有するとともに、テーブル板上に標識体を載置したとき、標識体の非接触ＩＣタグから当該非接触ＩＣタグに非接触状態でプレゼンテーション対象の識別情報を読み取る非接触ＩＣタグデータ読取り手段を有するプレゼンテーションテーブルと、
非接触ＩＣタグデータ読取り手段により読み出した識別情報に対応する、プレゼンテーション対象についての情報を、データベースから読み出してディスプレイ装置に表示するコンテンツ表示制御装置と、
ネット上に配置されたコンテンツサーバと、を備え、
前記コンテンツ表示制御装置は、非接触ＩＣタグデータ読取り手段により読み出した識別情報に対応する、プレゼンテーション対象についての情報を、コンテンツサーバから読み出してディスプレイ装置に表示し、
前記標識体は、互いに他の標識体との識別を可能とするためのＩＤ情報を有し、さらに、当該標識体の利用履歴情報として、少なくとも当該標識体を利用したプレゼンテーションテーブルを特定する情報を記録する利用履歴登録部をシステムのいずれかに有し、
利用者が、当該標識体を利用する、次のプレゼンテーションテーブルでは、コンテンツ表示制御装置が、利用履歴情報を前記利用履歴登録部から読み出し、当該過去の利用履歴に応じて、ディスプレイに表示するコンテンツを変える、
プレゼンテーションシステム。
【請求項２】
前記プレゼンテーションテーブルは、プレゼンテーション対象の識別情報を読み取るためのアンテナを、前記テーブル板の外周縁に沿って更に有し、
前記非接触ＩＣタグデータ読取り手段は、前記テーブル板の外周部に標識体を載置したとき、標識体の非接触ＩＣタグから当該非接触ＩＣタグに非接触状態でプレゼンテーション対象の識別情報を読み取る、
請求項１に記載のプレゼンテーションシステム。
【請求項３】
複数のプレゼンテーション対象の全体像が把握できる図表を表示するとともに、当該表示部近傍に、前記標識体の展示パネルを更に備える、
請求項１または２に記載のプレゼンテーションシステム。
【請求項４】
前記テーブル板は、少なくとも一部が透光性素材からなり、前記ディスプレイ装置は、テーブル板の裏面に、表示画面を配置してなる請求項１から３のいずれか１項に記載のプレゼンテーションシステム。
【請求項５】
前記テーブル板上に、スクリーンを形成し、このスクリーンに映像を投影する映写装置をテーブル上方に配置したことを特徴とする請求項１から３のいずれか１項に記載のプレゼンテーションシステム。
【請求項６】
音声再生装置を備え、前記データベースは、標識体に保持された識別情報に対応したプレゼンテーション対象についての音声情報を予め格納してあり、
前記音声再生装置は、非接触ＩＣタグデータ読取り手段により読み出した識別情報に対応する、プレゼンテーション対象についての音声情報を、データベースから読み出してスピーカにて再生することを特徴とする請求項１から５のいずれか１項に記載のプレゼンテーションシステム。
【請求項７】
前記テーブル板は、スモークガラス製であり、その裏面に透光性のあるスクリーンを添装してあり、スクリーンにプロジェクタから映像を投影することを特徴とする請求項４記載のプレゼンテーションシステム。
【発明の詳細な説明】
【技術分野】
【０００１】
本発明は、博物館や美術館、コーポレート・ミュージアムなどで、展示物のプレゼンテーションを効果的に行うためのプレゼンテーションシステムに関する。
【背景技術】
【０００２】
博物館や美術館などでは、展示物の紹介にガイドシステムなどを利用したり、あるいは、コンピュータシステムを利用した、バーチャル博物館を構築し、仮想空間において、展示物の紹介をし、現実の展示物の閲覧の補助とすることが行われている。【０００３】
この種のシステムとして、仮想世界を現実世界に重ね合わせて観覧者に提供することにより、対象とする地域を訪れる人が容易にアクセスして往時の姿を観覧することができるなど、観光資源としての価値を高める効果のあるバーチャル博物館システム（特許文献１  特開２００４−１４５６５７）が存在する。【０００４】
これは、少なくともオブジェクト位置と出力情報を含む情報により示されるオブジェクトを該出力情報に基づいて出力するオブジェクト出力端末を有し、前記オブジェクト出力端末の端末位置を取得する測位手段と、前記端末位置と前記オブジェクト位置との関係が所定の関係である場合に、前記オブジェクト出力端末から前記オブジェクトを出力する出力手段とを備えるオブジェクト出力システムを制御する博物館プログラムで生成される仮想世界を展示するバーチャル博物館システムにおいて、前記オブジェクトを配置する仮想空間と前記バーチャル博物館が実際に展開される現実空間との対応を定義する仮想空間管理手段を備えたバーチャル博物館システムであり、仮想空間内に存在するバーチャル博物館のオブジェクトを、対応する現実空間の位置に表示するように位置情報を定めることが可能である。【０００５】
また、利用者が自分自身で博物館コンテンツを一つずつ選択して表示させることの煩わしさを解決し、例えば、「古墳時代の埴輪について理解すること」のような学習目標に適合した一連の博物館コンテンツを効率的に選択して表示させるため、利用者自身が博物館コンテンツを一つずつ選択しなくても、学習目標に適合した一連の博物館コンテンツが自動的に選択、表示する電子博物館サービス装置が開示されている（特許文献２  特開平９−６２６５１）。【０００６】
これは、画像、音声、文字などの電子化されたマルチメディア情報を提供する電子博物館サービス装置であって、上記マルチメディア情報として表わされた博物館コンテンツ情報を教材要素として格納する博物館コンテンツ格納手段と、上記教材要素の組み合わせよりなる教材を格納する博物館利用教材格納手段と、上記教材の中から所望の教材を検索する博物館利用教材検索手段とからなり、上記博物館利用教材格納手段は、上記博物館コンテンツ情報を利用した学習の学習目標を格納する学習目標格納手段と、上記教材要素を上記学習目標に関連付けて格納する教材要素格納手段と、上記学習目標に対応する評価データとして表わされた学習の達成情報を格納する学習者理解状況格納手段と、上記学習の達成情報に基づいて、次に提示されるべき上記教材要素を決定する教授戦略機能手段とからなる、電子博物館サービス装置である。【０００７】
ところで、このような博物館や美術館などでの展示はいわゆるプレゼンテーションの一種であり、展示効果を高める必要がある。【０００８】
そのような観点からみると、先に述べた特許文献１や特許文献２で示されるシステムでは、展示物に対して仮想空間が重なり合ってその展示効果を高めたり、あるいは学習目標対応するデータを自動的に出したりするなどして、プレゼンテーション効果を高めることは可能である。しかし、これらの展示内容の提示は単にコンピュータから特定の手順に従って展示されるだけであるから、観覧者はその開示、提示されるデータの内容をある程度予測できてしまう。そのために展示物に対するプレゼンテーション効果としては、その予測に応じた認識があって、それ以上の驚き等は生じない。【０００９】
本発明は、このような点に鑑み成されているもので、観覧者に対して展示内容の展示物を効果的にプレゼンテーションすることのできるプレゼンテーションシステムを提供することを課題とする。
【発明の開示】
【００１０】
上記課題を達成するために本発明は、次の手段を採用した。
本発明は、プレゼンテーション空間において、効果的なプレゼンテーションを行うため、プレゼンテーション対象を象徴的に表した標識体（ここでは「アイコン」と称する）、プレゼンテーションテーブル、ディスプレイ装置、コンテンツ表示制御装置を基本的に備え、アイコンをプレゼンテーションテーブルに置くと、アイコンに格納した情報を読み取り、その情報に対応したコンテンツを制御手段がディスプレイ装置に表示するものである。
【００１１】
「アイコン」には、非接触ＩＣタグを装着してある。非接触ＩＣタグは、ＲＦＩＤ(Radio Frequency-ＩＤentification：電波方式認識)を実現するためのデバイスで、ＲＦＩＤとは、リーダライタ(アンテナ＋コントローラ)と、情報を電子回路に記憶可能なＩＤタグとで構成され、無線通信によりデータ交信することができる自動認識技術をいう。
【００１２】
このＩＤタグは、「データキャリア」や「非接触ICチップ」などの呼称があるが、総称して「ＲＦＩＤカード」と呼ばれることもある。ＲＦＩＤで一番なじみがあるのが、JR東日本の改札機で利用できるスイカ（登録商標）である。ＲＦＩＤは無線を使っているためにリーダライタにかざすだけで通信ができる。
【００１３】
非接触ＩＣタグには、あらかじめ、プレゼンテーション対象に応じて識別情報（ＩＤという）が格納してある。
プレゼンテーションテーブルには、タグに格納したＩＤを読み取るためのアンテナが設けられており、アイコンをテーブルに載せるだけで、ＩＤを認識できるようになっている。これにより、タンジブル（tangible：触知できる、実態的な）な操作インターフェイスを実現できる。タンジブルな操作を実現するために、非接触ＩＣタグを装着した「アイコン」は、手に持ったときにちょうど納まりが良いサイズの例えば透明なアクリルブロックとし、プレゼンテーション対象となる展示物に関する情報を直感的に把握できるよう、当該対象を具象化したミニチュアモデルや写真などをその中に封入するとよい。もちろん、アイコンは、板状のカードとし、その表面に展示物を示す具象的な絵や写真を印刷あるいは添付したものでもよい。
【００１４】
プレゼンテーションテーブルに設けるアンテナは、テーブルトップとしてのテーブル板の少なくとも外周縁に沿う裏面に配置されるのが好ましい。配置位置は全周にわたっても良いし、一部でもよい。
【００１５】
ディスプレイ装置は、プレゼンテーション空間に配置されていればよいが、プレゼンテーションを効果的に行うため、プレゼンテーションテーブルに内蔵するのが好ましい。その場合、テーブルの上面であるテーブル板を透光性素材で形成し、プレゼンテーション用のディスプレイ画面を兼ねるようにする。また、デバイスの存在を感じさせないように、コンテンツを表示するテーブル板は外観が黒一色の仕上げでアンテナやディスプレイ装置等の存在を隠し、テーブル外周縁部分の任意の場所に「アイコン」を置くことによってコンテンツを表示できるようにするのが好ましい。
【００１６】
コンテンツ表示制御装置は、プレゼンテーション対象に関する情報をＩＤ対応で格納したデータベースを備えている。そして、アイコンからＩＤを取得すると、当該ＩＤに対応したコンテンツ情報をデータベースから読み出し、ディスプレイ装置に表示する。
【００１７】
制御プログラムとしては、非接触ＩＣタグの認識プログラムをアンチコリジョン対応とし、同時に複数の「アイコン」を置いた時に、同時に識別情報を認識できるようにしてある。そして、複数のアイコンが置かれたとき、常に最新の「アイコン」（最後に置いた「アイコン」）の情報がディスプレイに表示されるようにする仕様とすることもできる。これにより、プレゼンテーションを途中で妨げないスムーズな利用を可能とした。更に、コンテンツ表示やページめくりの際にアニメーションやディレイなどの効果を付加するとともに、表示効果と同期した操作音を加えることにより、従来のコンピュータを利用したコンテンツ表示とは異なる独自の表現性を可能とした。操作音等を出すためには、もちろん音響装置を設ける。なお、音響装置を設ければ、プレゼンテーション対象を説明する音声データを再生することも可能となる。
【００１８】
より具体的には、本発明は、以下の構成を備えている。
【００１９】
すなわち、プレゼンテーション対象の識別情報を保持する非接触ＩＣタグとともに、当該プレゼンテーション対象を具象化した表示を有する標識体と、
この標識体に保持された識別情報に対応したプレゼンテーション対象についての情報を予め格納したデータベースと、
前記標識体を載置可能なテーブル板を有するとともに、テーブル板上に標識体を載置したとき、標識体の非接触ＩＣタグから当該非接触ＩＣタグに非接触状態でプレゼンテーション対象の識別情報を読み取る非接触ＩＣタグデータ読取り手段を有するプレゼンテーションテーブルと、
非接触ＩＣタグデータ読取り手段により読み出した識別情報に対応する、プレゼンテーション対象についての情報を、データベースから読み出してディスプレイ装置に表示するコンテンツ表示制御装置と、を備える。
【００２０】
ここで、前記テーブル板は、先に述べたように、少なくとも一部がガラスや透明樹脂等などの透光性素材からなり、前記ディスプレイ装置は、テーブル板の裏面に、表示画面を配置することが可能である。ディスプレイ装置は、ＣＲＴ、プラズマ方式、液晶方式の他、プロジェクタ方式のものを利用できる。ディスプレイ面を黒色にして、非投影時にデバイスの存在を見えなくするには、プロジェクタ方式を採用するのが好ましい。
【００２１】
なお、テーブル板を透明とせず、テーブル板上に、スクリーンを形成し、このスクリーンに映像を投影する映写装置（プロジェクタなど）をテーブル上方に配置してもよい。その場合、映写装置を天井裏に隠して、観覧者にその存在を意識させないようにすることが好ましい。
【００２２】
前記標識体は、プレゼンテーション対象を具象化した表示物（として、例えば、プレゼンテーション対象の模型、標本、実物、写真の少なくともいずれか）を封入した透光性樹脂からなる立体物の底面に非接触ＩＣタグを添装したものを例示できる。
【００２３】
また、前記非接触ＩＣタグデータ読取り手段は、プレゼンテーション対象の識別情報を読み取るためのアンテナを、前記テーブル板の外周縁に沿うテーブル板裏面に有する構成とすることができる。
【００２４】
プレゼンテーション空間においては、複数のプレゼンテーション対象を表示したパネルを設けておくことが望ましい。これらは特定の流れに従って、パネルに並べて表示する。特定の流れとは、時系列、系統、操作手順、処理手順などである。そして、当該表示部近傍に、標識体（アイコン）の展示部（収納凹部や台座等）を設けておくとよい。
【００２５】
コンテンツは、データベースに蓄積される他、インターネットやローカルエリアネットワークを介して、ネット上に配置されたコンテンツサーバに蓄積してもよい。そして、コンテンツ表示制御装置は、非接触ＩＣタグデータ読取り手段により読み出した識別情報に対応する、プレゼンテーション対象についての情報を、コンテンツサーバから読み出してディスプレイ装置に表示する。
【００２６】
さらに、コンテンツとして画像情報やテキスト情報のみならず音声情報を表示するようにすることも有効である。そのためには、さらに音声再生装置を備え、前記データベースは、標識体に保持された識別情報に対応したプレゼンテーション対象についての音声情報を予め格納しておく。そして、前記音声再生装置は、非接触ＩＣタグデータ読取り手段により読み出した識別情報に対応する、プレゼンテーション対象についての音声情報を、データベースから読み出してスピーカにて再生する。
【００２７】
次に、前記プレゼンテーションテーブルとしては、商品の対面販売用のカウンター・テーブルとすることも可能である。そして、このカウンター・テーブルを介して、顧客との対面販売を行うが、その際に使用する前記標識体は、プレゼンテーション対象である商品を具象化した表示を有する。商品表示として具象化した表示を有する標識体をカウンター・テーブルに置くと、これを検出して、商品に対応したコンテンツデータを読み出し、商品説明等を行う。
【００２８】
また、博物館や美術館などでは、前記プレゼンテーションテーブルを複数用意し、各プレゼンテーションテーブルをそれぞれ異なる場所に設置し、一方、前記標識体を複数用意するとともに、各標識体に応じたコンテンツを、コンテンツサーバに格納しておくこともできる。
【００２９】
利用者が、一つの標識体を選択して、複数の場所に設置してあるそれぞれのプレゼンテーションテーブルを訪問する。これにより、順次、訪問順に標識体に応じたコンテンツが各プレゼンテーションテーブルに表示される。
【００３０】
さらに、前記複数の標識体は、互いに他の標識体との識別を可能とするためのＩＤ情報を有する。そして、当該標識体の利用履歴の情報として、少なくとも当該標識体を利用したプレゼンテーションテーブルを特定する情報を記録する利用履歴登録部をシステムのいずれかに有するようにしておく。利用履歴登録部は、例えば、コンテンツサーバに設けるが、それ以外にもネットワーク上に配置されたいずれかのコンピュータに設けてもよい。そして、利用者は、例えば博物館の入り口で標識体を選択し、それをその後の利用にあたって使用する。
【００３１】
利用者が、当該標識体を利用する、次のプレゼンテーションテーブルでは、コンテンツ表示制御装置が、過去の利用履歴情報を前記利用履歴登録部から読み出し、当該過去の利用履歴に応じて、ディスプレイに表示するコンテンツを変えるようにしてもよい。
【００３２】
なお、標識体を使う利用者を特定し、利用者情報を格納する利用者情報登録手段を設け、前記複数の複数のプレゼンテーションテーブルを巡る毎に、利用者毎にポイントを加算するポイント付与手段をこの利用者情報登録手段に設けてもよい。
【００３３】
上記のような博物館など、本発明のプレゼンテーションテーブルを設置した施設では、施設利用者に利用者カードなどを発行し、利用者を管理特定するための、ID番号等を当該利用者カード毎に付していることが多い。そのような管理用ID番号による利用者の管理項目に、当該利用者がどのプレゼンテーションテーブルを巡回したのか、記録しておく。どのプレゼンテーションテーブルを巡回したかだけではなく、テーブル間の移動において、どのコンテンツの表示のときに移動したのか、どのコンテンツを見たのか、等を時間情報とともに記録しておくと、利用者がどの展示物にどの程度興味があったのかを解析できる。すなわち、利用者情報として、利用者を特定する情報とともに、過去に訪れたプレゼテーションテーブルを特定する情報、過去に見たコンテンツを特定する情報、プレゼテーションテーブルを訪れた日時、コンテンツを見た日時の少なくとも一つを登録する。
【００３４】
また、プレゼンテーションテーブルの周囲に配置した展示設備あるいは展示物のいずれかを、前記標識体の検出をトリガーとして可変制御するための、展示変化装置を設けてもよい。この展示変化装置は、例えば、展示用パネル、棚などを移動させる、あるいは、実際の展示物として展示されている恐竜のモデルを動かすなどをする。これにより、標識体の操作に伴って、周囲に設置された展示設備が動くので、これを見た者は驚きを隠せないであろう。
【００３５】
本発明によれば、「アイコン」により展示パネル等に描かれたプレゼンテーション対象についての内容を直感的に把握できる。そして、そのような形態の「アイコン」をオペレータが持ってプレゼンテーションテーブルに置くと、タグに格納した情報を読み出し、それをスイッチとして、コンピュータに格納されたコンテンツ（静止画・動画・アニメーション等）をディスプレイに表示させるので、観覧者はあたかも手品のような錯覚に陥り、驚きとともに、表示内容に注目することとなる。
【００３６】
そして、プレゼンテーション対象を展示パネルに表示して、アイコンによる個別プレゼンテーションと併用すると、俯瞰的な情報の全体像（展示パネル）と部分の詳細（コンテンツ）を同時に把握することができるので、プレゼンテーション効果が上がる。
【００３７】
また、プレゼンテーションテーブルにディスプレイ装置等を内蔵し、コンピュータやプロジェクタ等のデバイスの存在を意識させないデザインおよび操作インターフェイスとすれば、プレゼンテーションを受けるひとに驚きと感動はより大きくなり、情報を受容する心理的状況を醸成する場の演出を行なうことができる。
【００３８】
これらの特性を活かして、ミュージアム、ショールーム、店舗、展示スペース、教育・研究開発の場などにおいて、部分と全体を直感的に把握できる、インパクトのある表現性を持ったプレゼンテーション装置として活用が可能である。
【００３９】
さらに、このような情報提示は、人の興味を引き注目を集めることができるため、プレゼンテーション時の情報伝達だけではなく、店頭などでの販売促進等にも利用できる。
【図面の簡単な説明】
【００４０】
【図１】本発明の一例を示す構成概略図
【図２】展示パネルの拡大図
【図３】逸見式計算尺の展示パネル表示部分を示す図
【図４】テーブル上のアイコン（標識体）を示す図
【図５】テーブルのフレーム斜視図
【図６】テーブル板面に形成される画面構成図
【図７】テーブルの画面表示の一例を示す図
【図８】テーブル板の構成図
【図９】システム構成を示すブロック図
【図１０】ＲＦＩＤ認識ソフトウェアの動作手順を示すフローチャート図
【図１１】コンテンツ表示ソフトウェアの動作手順を示すフローチャート図
【図１２】他の構成例を示す概略図
【図１３】さらに他の構成例を示す概略図
【図１４】カウンターテーブルとして構成した他の構成例を示す概略図
【図１５】博物館の閲覧室の配置図を示す概略図
【発明を実施するための最良の形態】
【００４１】
＜実施形態１＞
次に本発明をコーポレート・ミュージアムに適用した例を説明する。
図１は、展示パネル１とプレゼンテーションテーブル３を備えた展示室の全体像である。図１に示したように、コーポレート・ミュージアムは、展示空間の壁面に展示パネル１を有している。展示パネル１には、プレゼンテーション対象となる展示物を象徴的に示す「アイコン２」が取り出し可能に配置されている。【００４２】
また、展示空間の中央部に、プレゼンテーションテーブル３が配置されている。このプレゼンテーションテーブル３には、ディスプレイ装置としてのプロジェクタ４が内蔵されている。さらに、制御用のパーソナルコンピュータ５がテーブル内に内蔵されており、このパーソナルコンピュータ５には、記憶装置により、プレゼンテーション対象の内容を静止画、動画、アニメーション、テキスト、音声などとして格納したデータベースが備えられている。【００４３】
さらに、前記した制御用のパーソナルコンピュータ５は、インターネット６を介して、コンテンツサーバ７に接続される。コンテンツサーバ７は、先のデータベースを補完するもので、プレゼンテーション対象に関するコンテンツを格納している。【００４４】
図２は展示パネル１を示し、年表の各年代に、社会における事件や会社における事件が写真とタイトルにて時系列で表示されている。図２では、例えば、1965年には「いざなぎ景気」・アメリカ軍北ベトナム爆撃開始・朝永振一郎ノーベル物理学賞受賞等の社会的事件が記載されている。それと共に、会社において開発された湿式電子複写機開発の表示とそれに伴う写真が示されている。【００４５】
展示空間への入り口から展示空間内に入ったとき、展示パネル１が真っ先に目に入るよう、パネル位置を設定し、かつ、スポットライトによる照明が当たるような効果や空間デザインとすることが望ましい。【００４６】
展示パネル１は対象とする展示物の全体像が把握できる図表（年表・地図・地形図・チャート図など）を半透明のアクリル板に印刷したシートからなり、展示空間の状況によりパネル１の背後に照明装置を置くバックライト方式と、正面よりライティングする方法が選択できる。【００４７】
その中の特定の記事やタイトルの近傍に収納凹部１０が形成され、キュービック形状のアイコン２が挿脱自在に格納されている。なお、収納凹部１０に代えてパネル面に水平に設けた台座板を設け、この台座板にアイコン２を載置してもよい。【００４８】
図３には、１９２５年に開発された逸見式計算尺を示す図柄と、その近傍に設けた収納凹部１０とを示し、この収納凹部１０に、逸見式計算尺のミニチュアモデル１１を封入した透明アクリル樹脂製のキュービック形状のアイコン２（標識体）が収納されている。【００４９】
このアイコン２は、一辺の長さが４５〜５０mmの立方体で、その底面に非接触ＩＣタグであるＲＦＩＤタグ（テキサスインスツルメント社製のtag-it HF-I：登録商標）を添装してある。このタグは、２枚のフェルト布の間に介挿され、そのフェルトがアイコン２の底面に貼り付けられている。【００５０】
ＲＦＩＤは、ICメモリと通信回路からなるCMOSチップと超小型アンテナをポリエチレンテレフタレート製のフレキシブル基板に内蔵しており、電源は内蔵していない。超小型アンテナは、アルミニウム等のリード線をコイル状のアンテナパターンを構成している。対応したリーダライタで読み書きされるときに無線を通じてＲＦＩＤの超小型アンテナに電源を誘電させて通信を行う。アンテナ２５が、非接触ＩＣタグに対して送信する共振周波数の電波は、ここでは、１３．５６ＭＨｚである。ICメモリには、個々のＲＦＩＤに固有でかつ変更不可能なＵＩＤ(Unique identification)と、プレゼンテーション対象を特定する識別情報（ＩＤ：以下の例ではＩＣタグデータともいう）とが格納してある。【００５１】
標識体であるアイコン２は、図４に示すように、パネル１の凹部１０から取り出され、オペレータすなわち展示物の説明者が手に持って、観覧者に対して展示物の説明をしながらテーブルの上に配置する。【００５２】
図５のように、プレゼンテーションテーブル３は、円形のテーブル板を支えるほぼドラム型のフレーム２１を有し、このフレーム２１の周囲を壁面で覆って成る。このフレーム２１内にはプロジェクタ４とＲＦＩＤリーダ２３とプロジェクタ４からの投射光を反射させる鏡面体２４が配置される。ＲＦＩＤリーダ２３に接続されたＲＦＩＤアンテナ２５は、テーブル板の下面において且つ円形のテーブル板の周縁の一部に沿って配置されている。またテーブル板の表面にはタッチキーボード２６が配置されている。【００５３】
前記テーブル板は、透光性のあるガラス板で形成されている。ガラス板の裏面の少なくとも一部には、プロジェクタ４からの投射光を受けた鏡面体２４からの反射光を受けて映像を形成する透光性のあるスクリーンが貼り付けてあり、図６のように、スクリーンには、プレゼンテーション対象の写真（グラフィック）が表示される写真表示領域３１とそのタイトル文字が表示されるタイトル表示領域３２と、その説明を行う説明文表示領域３３とに分かれて情報が表示されるようになっている。なお、これら表示領域は一つの画面にて構成されている。【００５４】
また、一部にナレーションモード表示部３４、ナビゲーション表示部３５、言語モード表示部３６が設けられていると共に、履歴アイコンを表示する履歴アイコン表示部３７が複数設けられている。そして、ガラス板からなるテーブル板は、スモークガラス製で、透明ではあるが、表面から見ると、内部が見えないよう黒色をしており、プロジェクタ４から映像が投影されたときのみ、スクリーンの画像が表面から視認可能となるように処理されている。これにより内部の構成は視認できず、デバイスの存在を意識させないようになっている。【００５５】
ナレーションモード表示部３４は、ナレーションモードなっているかどうかを表示する。ナレーションモードがONの場合、スピーカーのマークがナレーションモード表示部３４に表示される。OFFの場合には何も表示されない。タッチキーボード２６で操作されるモード切替手段によって、ナレーションモードを選択する。ナレーションモードが選択されていると、コンテンツとして格納されていた音声データが再生される。【００５６】
ナビゲーション表示部３５は、そのアイコンに対応するコンテンツの量を視覚的に表示し、さらに、現在表示されているコンテンツが全体のどの位置かを表示する。ここでは、コンテンツの量は、ページ数で管理されているので、そのページの総数を視覚的に表示し、現ページがその全体のページのどの位置に相当するのかを表示する。【００５７】
言語モード表示部３６は、表示コンテンツ及びナレーションが外国語に対応していることを示す。すなわち、コンテンツが英語に対応していればE,中国語に対応していればCが表示される。なお、外国語に非対応の場合には何も表示されない。【００５８】
プレゼンテーションを行う際に、対応するコンテンツが英語対応であって、英語での表示をする必要があるとき、タッチキーボード２６で操作されるモード切替手段によって、英語モードを選択する (図７) 。【００５９】
プレゼンテーションテーブル３は周囲の環境に溶け込むような目立たないデザインとする。そのために、テーブル板は、黒色のスモークガラスに映写スクリーンを貼った構成である。スモークガラスは映写スクリーンへの外光の影響を減らすとともにスクリーンの白色を暗く見せる。よって、ゲストはテーブルの存在をあまり気にとめずにグラフィックパネル１の前に立つ。これは、後にテーブルトップにコンテンツが表示される時の驚きや感動などの効果を高めるのに資する。【００６０】
すなわち、図８に示したように、スモークガラスからなるテーブル板の下面に白に近い半透明のスクリーンを貼り付けた構造のため、スモークガラスに入射した外光は、スクリーンとの境界面で反射し、再度スモークガラスを通過して外部へ出射する。このように外光はスモークガラスを２回通過する。一方、スクリーンの下方から投射されるプロジェクタからの光は、スクリーンに投影され、その光が１回のみスモークガラスを通過するので画像のコントラストが相対的に上がる。【００６１】
さらに、スクリーン手前のプロジェクタの焦点を結ばないところに遮光マスクを設けることで投影される画像のエッジが遮光され、よってスクリーンでは、画像の周囲がぼやけた状態となり、よりテーブルとコンテンツの一体感を演出する。【００６２】
プレゼンテーションテーブル３に内蔵したパーソナルコンピュータ５は、プロジェクタ４、タッチキー２６、ＲＦＩＤリーダ２３にそれぞれ接続されており、ＲＦＩＤリーダ２３は分配器２７を介して先に述べたアンテナ２５に接続されている。【００６３】
パーソナルコンピュータ５に設けたデータベースには、ＲＦＩＤに格納した識別情報に対応したコンテンツデータが１対１の関係で格納されている。
なお、展示空間には、音響システムを設置しておく。コンテンツの表現の効果性を高めるために、無指向性のスピーカーシステムを設置し、コンテンツ表示時や画面の切換時の効果音や、ナレーションなどの音声がどこからともなく聞こえてくる音環境を構成する。  【００６４】
このプレゼンテーションテーブル３は、電源供給機能、排熱機能を持つ。「アイコン２」の情報を認識するＲＦＩＤ認識システムが設けられているが、このＲＦＩＤ認識システムは、「アイコン２」に添付したＲＦＩＤ（ＩＣタグ）を識別し、それぞれの「アイコン２」が示すコンテンツをテーブルトップ上に表示するためのＩＤの識別機能を有する。システムは、アンチコリジョン対応であり、同時に複数のタグを識別することができる（最大１５ＩＤ）。データが衝突することなく、複数のICタグを識別する機能のことをアンチコリジョンと言う。一度読み込まれたタグは、すべてのタグをアンテナ２５の磁界から外し初期状態に戻すまで、識別情報がメモリに保持される。ＲＦＩＤ認識システムは、以下の機器およびソフトウェアから構成される。【００６５】
すなわち、図９に示したように、ＲＦＩＤリーダ２３、ＲＦＩＤに電源を供給するＲＦＩＤアンテナ２５（４セット）、４つのアンテナ２５を１つのリーダーに繋げる４分配器２７、これらに接続されてこれらを制御し、かつ、展示物に対応するコンテンツを表示画面に表示する制御ＰＣ（コンテンツ表示用ＰＣと兼用）、制御ＰＣにロードされ、ＲＦＩＤに格納してあるＩＤを取得し、コンテンツ表示システムへそのデータを送信するＲＦＩＤ識別ソフトウェアである。【００６６】
ここで、ＲＦＩＤ識別ソフトウェアの動作フローチャートを説明する。
図１０に示したように、コンテンツ表示制御装置のプロセッサがＲＦＩＤリーダ２３に所定間隔（１ｏｒ２秒間隔）でリクエストを送る（ステップ１０）。ここでリクエストがあった場合、直前の取得済みデータを取得して（ステップ１１）、そのデータをコンテンツ表示制御装置に送信する（ステップ１２）。【００６７】
ステップ１０でリクエストがない場合、ＩＣタグに格納されている、メーカー出荷時より固有に持ち、変更不可能なＵＩＤ(Unique identification)の取得をＲＦＩＤリーダ２３が行う（ステップ１３）。ここで、テーブル上にアイコン２が存在すれば、そのアイコン２のＩＣタグＵＩＤ取得を行うが、アイコン２が存在しない場合はＵＩＤ＝なしとの結果となる。そして、ＩＣタグＵＩＤ取得状態を以前に補助記憶装置に取得しておいた取得時前のＵＩＤとその個数と比較し（ステップ１４）、それらに変化があれば、ＩＣタグデータ(ＩＤ)を取得する（ステップ１５）。【００６８】
そして、ＩＣタグデータ(ＩＤ)を取得できたか否かを判定し（ステップ１６）、ＩＣタグデータ(ＩＤ)を取得できた場合は、そのデータ(ＩＤ)をコンテンツ表示制御装置に送信する（ステップ１２）。一方、読み取りミス等でステップ１５でＩＣタグデータ(ＩＤ)を取得できない場合は、ステップ１０に戻る。なお、ステップ１４で、ＩＣタグＵＩＤ取得状態が以前に補助記憶装置に取得しておいた取得時前の状態と変化がない場合もステップ１０に戻る。【００６９】
次いで、コンテンツ表示システムを説明する。
ＲＦＩＤ認識システムで識別したＩＤに従って、当該ＩＤが示すコンテンツ（ＦＬＡＳＨファイル・静止画画像・動画ファイル・ＷＥＢサイト・ＰＰＴファイルなど）をテーブルトップ上に表示する機能が実現される。なお、ＦＬＡＳＨはマクロメディア  インコーポレイテッド  の登録商標である。【００７０】
複数のタグを順じ認識させた場合は「後だしルール」に従い、常に最後に認識された識別ＩＤのコンテンツが表示される。それ以前に表示されていたコンテンツはサムネイル画面（縮小画面）３７となり、テーブルトップの端のほうに履歴情報として表示される。すべてのタグをアンテナ２５の磁界から外すことにより、初期状態に戻る。【００７１】
ＲＦＩＤの識別ＩＤで表示されたコンテンツは、複数ページで構成することも可能であり、テーブルトップに配置されたコンテンツ操作用のタッチセンサーキー２６（十字キー）により、ページめくりやページ戻しが可能な仕様となっている。このタッチセンサーキー２６は、ナレーション音声のＯＮ/ＯＦＦ、言語切換（日本語・英語・中国語など）、動画ファイルの操作（一時停止など）等にも使われる。【００７２】
コンテンツ表示システムは、以下の機器およびソフトウェアから構成される。
すなわち、コンテンツ格納・表示用ＰＣ５（制御ＰＣと兼用）、コンテンツ表示ソフトウェア、コンテンツ（ＦＬＡＳＨファイル・静止画画像・動画ファイル・ＰＰＴファイルなど）、コンテンツ操作用タッチセンサーキー２６（ページめくり、音声切替、言語切換等に使用）、プロジェクタ４（ＤＬＰ方式、ハイコントラスト、短焦点型）、光路構成部材（反射ミラー、リアスクリーン型テーブルトップ、フィルタなど）、である。【００７３】
コンテンツ表示のためのフローチャートを図１１に従い説明する。
まず、コンテンツ表示制御装置がＩＣタグデータ(ＩＤ)を受信したか否かを判定する（ステップ１００）。受信しない場合は、この判定を繰り返す。すなわち受信待機状態となる。コンテンツ表示制御装置がＩＣタグデータ(ＩＤ)を受信した場合、コンテンツタイプの照合を行う。【００７４】
すなわち、ＩＤに対応して登録されているコンテンツ情報をデータベースから引き出す（ステップ１０１）。コンテンツ情報は、ＩＤが特定する展示物に対応したＷＥＢコンテンツ、ＦＬＡＳＨファイル・静止画画像・動画ファイル・ＰＰＴファイルなどである。【００７５】
コンテンツ情報に従い特定されたコンテンツがＷＥＢコンテンツであるか否かが判定され（ステップ１０２）、ＷＥＢコンテンツであれば、ＷＥＢブラウザが起動され、指定されたＵＲＬのホームページが表示される（ステップ１０３）。【００７６】
特定されたコンテンツがＷＥＢコンテンツでない場合、今度はＦＬＡＳＨ コンテンツであるか否かが判定される（ステップ１０４）。ＦＬＡＳＨ コンテンツでない場合、指定されたコンテンツは、ＦＬＡＳＨファイル以外の静止画画像・動画ファイル・ＰＰＴファイルなどであり、その対応コンテンツをデータベースから引き出し、表示する（ステップ１０５）。【００７７】
ステップ１０４で、特定されたコンテンツがＦＬＡＳＨ コンテンツである場合は、ＦＬＡＳＨ 用ＩＤの書き出しを行い（ステップ１０６）、読み出すべきＦＬＡＳＨファイルを指定する。【００７８】
そして、ＦＬＡＳＨムービーの更新を要求し（ステップ１０７）、対応コンテンツとしてＦＬＡＳＨムービーを再生する（ステップ１０５）。なお、連続してアイコン２が複数、テーブルの上に置かれた場合、複数のタグを順じ認識させることになるので、その場合は「後だしルール」に従う。例えば、ステップ１０７で、複数のアイコン２からの情報が与えられると不都合が生じるので、アイコンＡが載っているときに、アイコンＢを載せた場合、アイコンＡの情報は、サムネイル画面へ表示され、Ｂの情報がメイン画面に表示される。【００７９】
以上により、ハードウェアとソフトウェアの協働により、アイコンのメモリに格納されたプレゼンテーション対象を識別するための識別情報を無線により非接触で検出する識別情報検出手段と、この識別情報検出手段で検出した識別情報に対応するコンテンツをデータベースやｗｅｂのサーバから取得するコンテンツ取得手段と、このコンテンツ取得手段で取得したコンテンツをディスプレイ装置に表示する手段が観念できる。【００８０】
以下、本システムの操作手順（企業の社史を来客にプレゼンテーションするケース）を説明する。なお、事前設定として、予め、展示物に対応するＩＤ情報（識別情報）を決め、ＲＦＩＤライタにて、そのＩＤ情報をＲＦＩＤのＩＣに書き込んでおく。また、ＩＤに対応して当該展示物に対応する複数ページからなるコンテンツ情報がデータベースに格納されている。【００８１】
（１）展示空間への案内
まず、展示空間にゲストを案内するが、展示空間は、展示パネル１が最初に目に入るような照明効果や空間デザインとなっており、コンテンツを表示するテーブルは周囲の環境に溶け込むような目立たないデザインとしているため、ゲストはテーブル３の存在をあまり気にとめずに展示パネル１の前に立つこととなる。【００８２】
（２）展示パネルで情報の全体像を説明
まず、ホスト側オペレータが、展示パネル１を使い、情報の全体像（このケースでは当該企業の社史の全体）を説明する。一覧性がある表現のため、社会史・文化史・業界史などの背景情報との関わりを含めて企業の歴史の全体像を把握することができる。(図２)【００８３】
（３）詳細に説明をしたいトピックの選択
ゲストの関心や場の雰囲気を踏まえて、詳細に説明をしたいトピック（このケースではエポックとなる製品・技術、エピソードなど）を選択し、そのトピックを解説するコンテンツを起動する「アイコン２」をパネル１の収納凹部１０から外す。「アイコン２」には当該トピックを想起させるミニチュアモデルや写真１１が封入されており、プレゼンターはそれをゲストに見せながら、詳細説明への導入を行なう。【００８４】
（４）アイコンをテーブルトップに載せコンテンツを表示
展示パネル１より外した「アイコン２」をテーブルトップの円周部（テーブル天板の裏に隠されているＲＦＩＤアンテナ２５の上部）に置くことにより、効果音とともに「アイコン２」が示すトピックのコンテンツが表示される。コンテンツは、切抜き画像など、テーブルトップの背景色に馴染む画像処理がされており、若干のディレイをかけた表示処理の効果により、ＰＣの画面の存在を感じさせない現れ方をする。（丸い水盆に景色が写り込んだような雰囲気）
また、コンテンツは本のように複数枚のページからなっており、テーブルにアイコンを乗せると、デフォルトページとして概要をまとめた２ページ目が表示されるようになっている。【００８５】
（５）トピックのプレゼンテーション
テーブルトップ上の十字キー（タッチキーボード２６）により、表示されたコンテンツのページ切換機能を操作し、当該トピックの詳細なプレゼンテーションを行なう。たとえば、社史に登場する製品を説明するケースでは、「アイコン２」をテーブルトップに乗せた時に現れるデフォルトページにはその製品の概要を記載し、ページをめくることにより、なぜその製品が登場したかといった背景情報（1ページ目）や、その製品がその後どのような進化を遂げたかという時系列情報(3ページ目以降)などに展開することができる。ページ切換時には、画面切換のアニメーション効果（ディゾルブ(dissolve：フェード‐アウトとフェード‐インを同時に行って，画面をやわらかく切り替える技法）、ズームイン/アウトなど）と無指向性スピーカから流れる効果音により、空間全体に情報が漂うようなイメージの演出を加えている。【００８６】
（６）関連する別トピックの表示
あるトピックを説明する中で、関連する別なトピックを合せて紹介することにより、個々の部分情報間の連関が解り、全体像をより明確に掴むことができる。その場合は、テーブルトップに当該トピックのコンテンツを表示したまま、パネル１から関連するトピックを起動する別の「アイコン２」を外し、テーブルトップの円周部（ＲＦＩＤアンテナ２５の上部）に置く。すると、「後だしルール」に従い、新たに置いた「アイコン２」が示すトピックのコンテンツが表示される。このコンテンツも、先のものと同様に十字キーにより、詳細なプレゼンテーションを行なうことができる。この操作を繰り返すことにより、最大１５個のトピックを連続してプレゼンテーションすることができる。先に表示されていたコンテンツはサムネイル画面３７としてテーブルトップの端のほうに履歴が表示されることと、新たなトピックを表示する際は必ず展示パネル１から「アイコン２」を外して持ってくることから、全体の中の部分が解る情報の取り扱いが可能となる。【００８７】
（７）ナレーション、動画再生、ＷＥＢ、ＰＰＴファイルなど
上記は、ＦＬＡＳＨファイルによるスライドショーを使い、プレゼンターが自ら解説をする形態のプレゼンテーションを前提とした操作手順であるが、それ以外にも以下のようなコンテンツの利用が可能である。
・ナレーションモード（日本語・英語・中国語等、多言語切換機能付き）
・動画再生（ＭＰＥＧ１/ＭＰＥＧ２の動画ファイル）
・ＰＰＴ（パワーポイント：登録商標）のスライドショー
・ＷＥＢページ
ＦＬＡＳＨファイルに加え上記のコンテンツを組み合わせ、ゲストの関心やニーズに合せて臨機応変にプレゼンテーションを行うことができる。【００８８】
（８）プレゼンテーションの終了
すべてのアイコン２をアンテナ２５の磁界から外すことにより、コンテンツ表示システムは初期状態に戻る。従って、円周部に並べられた「アイコン２」をいったんテーブル中央部に押し出すと、画面は暗転しプレゼンテーションを終了することができる。【００８９】
以上、コーポレーションミュージアムに応用した例を説明したが、図１２に示したように、アイコン２とプレゼンテーションテーブル３（制御用ＰＣ含む）のみを用いて、種々のプレゼンテーションを行うことは可能であり、また、トランプのようなカード形状の標識体（アイコン）を利用して、当該カードをプレゼンテーションの手順に従ってテーブル上に切っていくようなスタイルで、プレゼンテーションを行うと、効果的な演出が可能となる。【００９０】
また、図１３に示した例は、透明ではないテーブルの天板上、スクリーンを形成し、このスクリーンに映像を投影する映写装置としてのプロジェクタをテーブル上方の天井裏に配置した例である。【００９１】
なお、ここでは、コーポレート・ミュージアムに本発明を利用した例を説明したが、本発明は、種々の歴史、生物の進化など、時系列に従った展示物のプレゼンテーションや、所定の分類に従って分けて展示した美術品や骨董品、おもちゃなどのコレクションの説明、各種の商品説明等に利用できる。【００９２】
なお、本発明で使用するスモークガラスとしては、例えば、旭硝子（株） サンユーログレー（商標）などを利用することができる。これは、ガラス原料に金属を加え、グレーに着色したガラスである。これに、フィルムを貼り付けて使用する。フィルムとしては、住友スリーエム（株）製マットフィルム、ミルキーミルキー（商標）を使用できる。【００９３】
＜実施形態２＞
次に第２の実施形態につき、図１４を参照して説明する。
ここで、図１４に示すように、前記プレゼンテーションテーブルとしては、商品の対面販売用のカウンター・テーブルとして構成されている。例えば、宝石店において、本件プレゼンテーションテーブルを利用する場合に、図１に示したような、テーブル内のプロジェクタ、ミラー、アンテナ・リーダー・タッチセンサ、トップのスモークガラス、スモークガラス裏面のスクリーンなどを、カウンターに備える。【００９４】
そして、透明アクリル樹脂製のキュービック形状のアイコン２（標識体）には、販売すべき商品である宝石の具象的な模型が封入され、そのアイコンの下面に、販売対象となる宝石を特定するための情報を予め格納した、ＲＦＩＤタグが設けられている。【００９５】
宝石店では、同じ種類の宝石であっても、様々な形態の宝石が存在するので、その個々の宝石毎にアイコン２を作るのはコスト高となる。そこで、宝石毎のＲＦＩＤタグのみを作成しておき、これを、その都度、アイコン２の裏側に着脱自在に貼り付けることが望まれる。【００９６】
制御用コンテンツDBから、商品である宝石についての情報、当該商品の拡大画像（傷の有無の確認）や、宝石の説明についての情報が表示されるので、商品の購入を検討している顧客がこれを見て、商品の購入を検討する。【００９７】
このような販売形態に適する商品であれば、このカウンターによる対面販売に本件発明を適用することが可能である。他の商品として、例えば、バー・カウンターでの、酒の販売である。この場合、キューブ型のアイコン２の中に、酒のミニュチュアボトルを封入しておき、このアイコン２をバー・カウンターに載せることで、アンテナがこれを検出し、当該アイコンのＲＦＩＤタグに格納されている識別情報に従い、当該お酒に関する情報（お酒の名称、種類、製造方法、産地、飲み方、カクテルであれば調整方法など）をディスプレイに表示する。【００９８】
＜実施形態３＞
次の例は、博物館や美術館などでは、複数の展示室が存在するので、前記プレゼンテーションテーブルを複数用意して、各プレゼンテーションテーブルをそれぞれ異なる展示室に配置し、それぞれ展示室の展示物を当該プレゼンテーションテーブルの利用によって解説する。【００９９】
図１５は、ある博物館の展示室の配置図である。各展示室毎にプレゼンテーションテーブルが配置され、また、展示室毎に異なる展示物が展示されている。各展示物に関する情報コンテンツが、予めコンテンツサーバに格納してある。【０１００】
この博物館の入場者は、入り口で、一つの標識体（アイコン）を選択する。入場者は、入場にあたって、予めＩＤ番号を付した入場者カード（利用者カード）をもらう。入場者は、入り口近傍に配置された、コンピュータ端末で、自分が選択した標識体（アイコン）の識別データと入場者カードのＩＤ番号との関連づけをする、すなわち、非接触ＩＣタグデータ読取り手段であるタグリーダを前記コンピュータ端末に設け、このタグリーダで標識体（アイコン）の識別データを読み取ると、それに対応した入力画面が出るので、この入力画面で入場者カードのＩＤ番号を入力する。このコンピュータ端末は、コンテンツサーバと連動しており、以後は、入場者のプレゼンテーションテーブルの利用状況（利用履歴情報）を、当該入場者カードのＩＤ番号によって管理することとなる。すなわち、そのような管理用ＩＤ番号による管理項目に、当該入場者がどのプレゼンテーションテーブルを巡回したのか、記録しておく。この情報を記録するのが、利用履歴登録部である。【０１０１】
どのプレゼンテーションテーブルを巡回したかだけではなく、テーブル間の移動において、どのコンテンツの表示のときに移動したのか、どのコンテンツを見たのか、等を時間情報とともに利用履歴情報として記録しておく。【０１０２】
これにより、利用者がどの展示物にどの程度興味があったのかを解析できる。すなわち、あるテーブルで、あるコンテンツを見る開始時間から、そのテーブルを離れ、次のテーブルに移動して、次のテーブルでのコンテンツの閲覧開始時間が、長いとすると、それは、前のテーブルでのコンテンツにその閲覧者が興味を持っていたからだとの推定が成り立つ。一方、その時間が短かった場合はどうか。コンテンツの再生時間より短い場合、それは、当該コンテンツの再生途中で、その内容にあきてしまったことが推定される。【０１０３】
このようなことを判断するために、利用者を特定する情報とともに、利用履歴情報として、過去に訪れたプレゼテーションテーブルを特定する情報、過去に見たコンテンツを特定する情報、プレゼテーションテーブルを訪れた日時、コンテンツを見た日時を利用履歴登録部に登録する。【０１０４】
利用履歴登録部は、例えば、コンテンツサーバに設けるが、それ以外にもネットワーク上に配置されたいずれかのコンピュータに設けてもよい。そして、利用者は、例えば博物館の入り口で標識体を選択し、それをその後の利用にあたって使用する。【０１０５】
利用者が、当該標識体を利用する、次のプレゼンテーションテーブルでは、コンテンツ表示制御装置が、過去の利用履歴情報を前記利用履歴登録部から読み出し、当該過去の利用履歴に応じて、ディスプレイに表示するコンテンツを変えるようにしてもよい。【０１０６】
例えば、図１５では、入り口の部屋（Ｅ０）に続いて４つの展示室があり、それぞれの展示室に異なる展示物を陳列してある。このような博物館において、利用者の訪問順の変更により、プレゼンテーションテーブルで表示されるコンテンツの表示が、訪問順で変化するようにする。ここで、第１の展示室（Ｅ１）に第１のプレゼンテーションテーブルが配置され、その周囲に、展示物として恐竜の模型が展示されていたとする。この第１の展示室（Ｅ１）は、入り口がある壁面以外の３つの壁面に、それぞれ隣接する第２の展示室（Ｅ２）、第３の展示室（Ｅ３）、第４の展示室（Ｅ４）が存在し、これら、第２から第４の展示室は相互に連絡通路でつながっているものとする。第２から第４の展示室には、それぞれ、第２から第４のプレゼンテーションテーブルが配置され、各展示室の展示物に関するコンテンツを表示するようになっている。【０１０７】
その際、前記コンテンツサーバは、複数のプレゼンテーションテーブルを巡って得られる全体の表示コンテンツにストーリー性を与えるため、標識体の利用履歴に応じて変化するコンテンツに、所定の連続性を持たせるようにするとよい。【０１０８】
例えば、上記例において、第１の展示室に、エジプト文明の発掘品が展示され、第２の展示室に、メソポタミア文明の発掘品が展示され、第３の展示室に、インダス文明の発掘品が展示され、第４の展示室に、黄河文明の発掘品が展示されているものとする。上記の各展示室の配置によれば、入り口から第１の展示室（エジプト文明）に入ることは一律に決まるが、その後の巡回経路として、次の（１）〜（４）など、様々な巡回パターンが考えられる。【０１０９】
（１） 第１の展示室（エジプト文明）→第２の展示室（メソポタミア文明）→第３の展示室（インダス文明）→第４の展示室（黄河文明）という順路の他、【０１１０】
（２） 第１の展示室（エジプト文明）→第４の展示室（黄河文明）→第３の展示室（インダス文明）→第２の展示室（メソポタミア文明）という順路、【０１１１】
（３） 第１の展示室（エジプト文明）→第３の展示室（インダス文明）→第４の展示室（黄河文明）→第１の展示室（エジプト文明）→第２の展示室（メソポタミア文明）という順路、【０１１２】
（４） 第１の展示室（エジプト文明）→第２の展示室（メソポタミア文明）→第１の展示室（エジプト文明）→第３の展示室（インダス文明）→第１の展示室（エジプト文明）→第４の展示室（黄河文明）→第１の展示室（エジプト文明）という順路【０１１３】
上記した（３）のパターンで各展示室のプレゼンテーションテーブルを訪問した場合、第４の展示室のプレゼンテーションテーブルでは、前の展示室で見た、エジプト文明に関連するインダス文明のトピックスからコンテンツ表示がなされる。例えば、建材としての「れんが」に焦点をあててみると、エジプト文明の地域では、そのほとんどの領域が砂漠で占められ、雨がほとんど降らないので、土を固めて干しただけの「日干しれんが」が建材として使用されていた。一方、インダス文明では、焼きれんがに、仏教のモチーフを描いた模様が浮き彫りにされているものが多い。建材の製法としての関連性ではないが、「れんが」というキーワードで、両文明を繋げることができ、観覧者の連続した興味を引き出すことができる。【０１１４】
なお、ストーリー性を確保するためには、先に見たコンテンツに最も関連性のあるコンテンツを検索エンジン（自然言語検索エンジン等、種々のエンジンを利用できる）により検索し、後のプレゼンテーションテーブルで見るということや、後のプレゼテーションテーブルで見ようとするコンテンツと前のプレゼテーションテーブルで見たコンテンツとの間に、両者をつなぐための連結用コンテンツを挿入することも考えられる。【０１１５】
＜その他の実施形態＞
なお、上記例では、標識体を使う利用者を入場者カードのＩＤ番号で特定しているが、それに対応して利用者情報を格納する利用者情報登録手段を設け、前記複数の複数のプレゼンテーションテーブルを巡る毎に、利用者毎にポイントを加算するポイント付与手段をこの利用者情報登録手段に設けてもよい。その際、利用者情報としては、例えば、住所、電話番号、ｅメールアドレス等を登録しておき、蓄積されたポイントを、インターネットを通じて閲覧可能としてもよいし、メールにて通知し、再度の来館等を促すようにしてもよい。【０１１６】
そして、次回の来館時に、登録してある個人情報を基に、利用履歴を参照し、前回とは異なる順路での観覧を示唆することにより、来館者が飽きないようにすることができる。【０１１７】
また、プレゼンテーションテーブルの周囲に配置した展示設備あるいは展示物のいずれかを、前記標識体の検出をトリガーとして、可変制御する展示変化装置を設けてもよい。例えば、展示用パネル、棚などを移動させる、あるいは、実際の展示物として展示されている恐竜のモデルを動かすなどである。これにより、標識体の操作に伴って、周囲に設置された展示設備が動くので、これを見た者は驚きを隠せないであろう。
【図１】
0005026079.tif 000002
【図２】
0005026079.tif 000003
【図３】
0005026079.tif 000004
【図４】
0005026079.tif 000005
【図５】
0005026079.tif 000006
【図６】
0005026079.tif 000007
【図７】
0005026079.tif 000008
【図８】
0005026079.tif 000009
【図９】
0005026079.tif 000010
【図１０】
0005026079.tif 000011
【図１１】
0005026079.tif 000012
【図１２】
0005026079.tif 000013
【図１３】
0005026079.tif 000014
【図１４】
0005026079.tif 000015
【図１５】
0005026079.tif 000016